(57)【要約】【課題】複数の燃料ポンプに液面計ユニットをコンパクトに取り付けて燃料供給装置の大型化を回避することができる燃料供給装置を供する。【解決手段】内燃機関に燃料を供給する燃料ポンプ11，12が複数燃料タンク２内に配列され、液面計本体41に揺動中心軸を揺動自在に軸支された支持アーム42の先端にフロート43を取り付けた液面計ユニット40が取り付けられる燃料供給装置10において、液面計本体41は、直方体形状をなし、その一側面が燃料ポンプ11，12の配列方向に平行になるように取り付けられる燃料供給装置。【選択図】図２
2010228697.tif 000002
【特許請求の範囲】
【請求項１】
内燃機関に燃料を供給する燃料ポンプが複数燃料タンク内に配列され、液面計本体に揺動中心軸を揺動自在に軸支された支持アームの先端にフロートを取り付けた液面計ユニットが取り付けられる燃料供給装置において、
前記液面計本体は、直方体形状をなし、その一側面が前記燃料ポンプの配列方向に平行になるように取り付けられることを特徴とする燃料供給装置。
【請求項２】
前記液面計本体は、その長尺方向が前記燃料ポンプの配列方向と同方向になるように取り付けられることを特徴とする請求項１に記載の燃料供給装置。
【請求項３】
前記液面計本体は、前記燃料ポンプの配列方向の最大幅内に配設されることを特徴とする請求項１または請求項２に記載の燃料供給装置。
【請求項４】
前記各燃料ポンプの上方に突出する吐出通路を互いに連通するジョイント管に沿って前記液面計本体が配設されることを特徴とする請求項１から請求項３までのいずれか１項に記載の燃料供給装置。
【請求項５】
前記燃料供給装置の燃料タンクに固定する取付座は、平面視で前記ジョイント管を中央に位置させて前記複数の燃料ポンプを囲繞するとともに、平面視で前記液面計本体とも重なることを特徴とする請求項４に記載の燃料供給装置。
【請求項６】
前記燃料ポンプから吐出された燃圧が所定以上になったときに開口して燃料の一部を前記燃料タンク内に戻すプレッシャレギュレータが、前記ジョイント管の端部に結合され、前記プレッシャレギュレータが結合される前記ジョイント管の端部は、前記液面計本体から延出するハーネスの突出方向と同方向にあることを特徴とする請求項４または請求項５に記載の燃料供給装置。
【請求項７】
前記液面計ユニットの先端にフロートを取り付けた前記支持アームは、揺動中心基端から前記プレッシャレギュレータの先端出口がある側と反対側に延びていることを特徴とする請求項６に記載の燃料供給装置。
【請求項８】
前記液面計本体は、前記ジョイント管の側壁にブラケットを介して一体に取り付けられることを特徴とする請求項４から請求項７までのいずれか１項に記載の燃料供給装置。
【発明の詳細な説明】
【技術分野】
【０００１】
本発明は、燃料タンク内に設けられ燃料ポンプにより内燃機関に燃料を供給する燃料供給装置に関する。
【背景技術】
【０００２】
このような燃料供給装置に、燃料タンク内の燃料量を液面の高さで検出する液面計が取り付けられる例が従来から一般に知られている（例えば、特許文献１参照）。
特許文献１に開示された燃料供給装置は、燃料タンクの上壁に燃料ポンプ組立体が固定されて垂設されており、同燃料ポンプ組立体の側壁にセンサハウジング（液面計本体）が取り付けられている。
【０００３】
先端にフロートを取り付けたフロート支持アームが、センサハウジングから揺動自在に延出している。
同特許文献１に開示された燃料供給ユニットにおける燃料ポンプ組立体は、１個の燃料ポンプが上下方向に長尺の円筒形状をなして設けられている。
【０００４】
燃料ポンプ組立体も上下方向に長尺であり、その側壁に取り付けられるセンサハウジングも上下方向に長尺となる姿勢とすることで、センサハウジングが側方に突出するのを避けて燃料供給ユニットをコンパクトに構成していた。
【０００５】
一方で、複数の燃料ポンプを組み合わせて必要な吐出量を得るようにした例がある（例えば、特許文献２参照）。
既存の安価な燃料ポンプを併用して、高性能な燃料ポンプを簡単かつ低コストで得ることができる。
【０００６】
特許文献２は燃料流量制御装置に係る発明であり、実施例において、燃料タンク内の燃料を汲み上げる３個の燃料ポンプの各吐出量を制御するものである。
したがって、３個の燃料ポンプの配置構造については開示されておらず、ましてや液面計の取付構造については全く開示がない。
【先行技術文献】
【特許文献】
【０００７】
【特許文献１】特許第４１３８５１６号公報
【特許文献２】特開２００７−３２１５８３号公報
【発明の概要】
【発明が解決しようとする課題】
【０００８】
燃料タンク内に複数の燃料ポンプを配置して、かつ液面計ユニットを燃料ポンプに取り付ける場合、燃料タンクの内空間は限られているので、液面計ユニットを複数の燃料ポンプに取り付けても全体として燃料供給装置をコンパクトに構成することが要求される。
【０００９】
本発明は、かかる点に鑑みなされたもので、その目的とする処は、複数の燃料ポンプに液面計ユニットをコンパクトに取り付けて燃料供給装置の大型化を回避することができる燃料供給装置を供する点にある。
【課題を解決するための手段】
【００１０】
上記目的を達成するために、請求項１記載の発明は、内燃機関に燃料を供給する燃料ポンプが複数燃料タンク内に配列され、液面計本体に揺動中心軸を揺動自在に軸支された支持アームの先端にフロートを取り付けた液面計ユニットが取り付けられる燃料供給装置において、前記液面計本体は、直方体形状をなし、その一側面が前記燃料ポンプの配列方向に平行になるように取り付けられる燃料供給装置とした。
【００１１】
請求項２記載の発明は、請求項１に記載の燃料供給装置において、前記液面計本体は、その長尺方向が前記燃料ポンプの配列方向と同方向になるように取り付けられる燃料供給装置である。
【００１２】
請求項３記載の発明は、請求項１または請求項２に記載の燃料供給装置において、前記液面計本体は、前記燃料ポンプの配列方向の最大幅内に配設されることを特徴とする。
【００１３】
請求項４記載の発明は、請求項１から請求項３までのいずれか１項に記載の燃料供給装置において、前記各燃料ポンプの上方に突出する吐出通路を互いに連通するジョイント管に沿って前記液面計本体が配設されることを特徴とする。
【００１４】
請求項５記載の発明は、請求項４に記載の燃料供給装置において、前記燃料供給装置の燃料タンクに固定する取付座は、平面視で前記ジョイント管を中央に位置させて前記複数の燃料ポンプを囲繞するとともに、平面視で前記液面計本体とも重なることを特徴とする。
【００１５】
請求項６記載の発明は、請求項４または請求項５に記載の燃料供給装置において、前記燃料ポンプから吐出された燃圧が所定以上になったときに開口して燃料の一部を前記燃料タンク内に戻すプレッシャレギュレータが、前記ジョイント管の端部に結合され、前記プレッシャレギュレータが結合される前記ジョイント管の端部は、前記液面計本体から延出するハーネスの突出方向と同方向にあることを特徴とする。
【００１６】
請求項７記載の発明は、請求項６に記載の燃料供給装置において、前記液面計ユニットの先端にフロートを取り付けた前記支持アームは、揺動中心基端から前記プレッシャレギュレータの先端出口がある側と反対側に延びていることを特徴とする。
【００１７】
請求項８記載の発明は、請求項４から請求項７までのいずれか１項に記載の燃料供給装置において、前記液面計本体は、前記ジョイント管の側壁にブラケットを介して一体に取り付けられることを特徴とする。
【発明の効果】
【００１８】
請求項１記載の燃料供給装置によれば、液面計本体は、直方体形状をなし、その一側面が前記燃料ポンプの配列方向に平行になるように取り付けられるので、液面計本体が燃料供給装置の外周囲から一部突出するようなことを避けてコンパクトに取り付けられ、燃料供給装置の大型化を回避することができる。
【００１９】
請求項２記載の燃料供給装置によれば、液面計ユニットの液面計本体は、その長尺方向が燃料ポンプの配列方向と同方向になるように取り付けられるので、燃料ポンプの配列方向の大きくなった幅を液面計本体の長尺方向として液面計本体を取り付けることで、液面計本体の燃料ポンプ近傍からの大きな突出を抑えて燃料供給装置の大型化を回避することができる。
【００２０】
請求項３記載の燃料供給装置によれば、液面計本体を燃料ポンプの配列方向の最大幅内に配設することで、液面計本体の燃料ポンプ近傍からの突出をなくして燃料供給装置の大型化を回避することができる。
【００２１】
請求項４記載の燃料供給装置によれば、各燃料ポンプの上方に突出する吐出通路を互いに連通するジョイント管に沿って液面計本体を配設することで、燃料ポンプの上方のジョイント管側方のスペースに液面計本体を配設して液面計本体の上方への突出を防止して燃料供給装置の大型化を回避することができる。
【００２２】
請求項５記載の燃料供給装置によれば、燃料供給装置の燃料タンクに固定する取付座は、平面視で前記ジョイント管を中央に位置させて複数の燃料ポンプを囲繞するとともに、平面視で液面計本体とも重なるので、燃料供給装置は平面視で殆ど取付座内に収まってコンパクトに構成される。
【００２３】
請求項６記載の燃料供給装置によれば、プレッシャレギュレータが結合されるジョイント管の端部が、液面計本体から延出するハーネスの突出方向と同方向にあるので、プレッシャレギュレータおよびハーネスの組付けが同一方向から行え、組立性が良い。
【００２４】
請求項７記載の燃料供給装置によれば、液面計ユニットの先端にフロートを取り付けた支持アームは、プレッシャレギュレータの先端出口がある側と反対側に基端から延出しているので、プレッシャレギュレータの先端出口からの燃料の戻りが支持アームに影響することがなく、所要の検出精度を維持することができる。
【００２５】
請求項８記載の燃料供給装置によれば、液面計本体がジョイント管の側壁にブラケットを介して一体に取り付けられるので、より強固に液面計本体を取り付け、確固として液面計本体を保持することができる。
【図面の簡単な説明】
【００２６】
【図１】第１の実施の形態における自動二輪車のシートレールに支持される燃料タンク内に配設された燃料供給装置を示す一部省略した側面図である。
【図２】同燃料供給装置の一部断面とした側面図である。
【図３】同燃料供給装置の上面図である。
【図４】同燃料供給装置の上部蓋部材を省略した上断面図である。
【図５】同燃料供給装置の第２燃料フィルタおよび一部を省略し主に第１燃料フィルタを示した下面図である。
【図６】第２燃料フィルタの下面図である。
【図７】第２の実施の形態における自動二輪車のシートレールに支持される燃料タンク内に配設された燃料供給装置を示す一部省略した側面図である。
【図８】同燃料供給装置の一部断面とした側面図である。
【図９】同燃料供給装置の上面図である。
【図１０】同燃料供給装置の第２燃料フィルタおよび一部を省略した下面図である。
【図１１】第２燃料フィルタの下面図である。
【発明を実施するための形態】
【００２７】
以下、本発明に係る第１の実施の形態について図１ないし図６に基づいて説明する。
本第１の実施の形態に係る燃料供給装置10は、自動二輪車に搭載される燃料タンク２内に配設される。
なお、本明細書中では、自動二輪車の車体を基準に前後左右を決めておくこととする。
【００２８】
自動二輪車の後部のシート下方を左右一対のシートレール１，１が前後方向に延びており、この両シートレール１，１間に架設されて燃料タンク２が支持されている（図１参照）。
燃料供給装置10は、この燃料タンク２の略水平な上壁２ａに形成された円孔に上端部を嵌着して、燃料タンク内に垂設され、最下端は、燃料タンク２の略水平な底壁２ｂに近接している。
【００２９】
図２に示すように、燃料供給装置10は、２個の円柱状をした既存の安価な燃料ポンプ（第１燃料ポンプ11，第２燃料ポンプ12）を前後に隣接して配列したものを、円筒状をしたポンプケース15が囲繞するようにして収容している。
第１燃料ポンプ11と第２燃料ポンプ12は、互いに上下方向にオフセットしており、前側の第２燃料ポンプ12が下方にオフセットし、後側の第１燃料ポンプ11が上方にオフセットしている。
互いに上下方向にオフセットして前後に並設された第１燃料ポンプ11と第２燃料ポンプ12は、若干右寄りにシフトしてポンプケース15に収容される。
【００３０】
ポンプケース15の下端開口を塞いだ底壁16に第１燃料ポンプ11と第２燃料ポンプ12は支持されている。
第１燃料ポンプ11と第２燃料ポンプ12からは、下方にそれぞれ第１吸入管11ｉと第２吸入管12ｉが延出し、底壁16を貫通している。
【００３１】
底壁16に下には、扁平袋状をした第１燃料フィルタ21と第２燃料フィルタ22が上下に互いに大部分重なって設けられている。
この第１燃料フィルタ21と第２燃料フィルタ22は、内部フレームにより不織布を扁平袋状に形成したものである。
【００３２】
上側の第１燃料フィルタ21は、図５に示すように、下面視で概ね円盤形状をして、前側外周部に略Ｕ字状に切り欠いた切欠き21ｃが形成されている。
第１燃料ポンプ11から下方に延出する第１吸入管11ｉが第１燃料フィルタ21の上側部に嵌入し内部フレームに結合されており、第２燃料ポンプ12から下方に延出する第２吸入管12ｉは、第１燃料フィルタ21の前側の切欠き21ｃを貫通している。
【００３３】
下側の第２燃料フィルタ22は、図６に示すように、下面視で第１燃料フィルタ21と同径の円盤形状をしており、前記第１燃料フィルタ21の切欠き21ｃを貫通した第２吸入管12ｉが第２燃料フィルタ22の上側部に嵌入し内部フレームに結合されている。
下側で燃料タンク２の底壁２ｂに近接する第２燃料フィルタ22の方が、第１燃料フィルタ21より、切欠き21ｃの分だけフィルタ面積が大きい。
【００３４】
一方、第１燃料ポンプ11と第２燃料ポンプ12からは、上方にそれぞれ第１吐出管11ｅと第２吐出管12ｅが延出し、その上方に前後方向に指向して配設されたジョイント管25に第１吐出管11ｅと第２吐出管12ｅの各上端が嵌入している。
したがって、第１吐出管11ｅと第２吐出管12ｅは、ジョイント管25によって内部が連通している。
【００３５】
そして、ジョイント管25の前端の開口には、プレッシャレギュレータ30が基端を嵌入して装着されている。
プレッシャレギュレータ30は、第１燃料ポンプ11と第２燃料ポンプ12から吐出されジョイント管25内で合流した燃料の燃圧が所定以上になったときに開口して燃料の一部を前方に噴出して燃料タンク２内に戻す調圧装置である。
【００３６】
ジョイント管25の略中央位置から分岐して上方に導出管26が延出しており、導出管26の上端部から左方に導出接続管27が突設されている。
この導出接続管27に燃料パイプ（図示せず）が接続され、燃料パイプに導かれて内燃機関の吸気系に燃料が供給される。
【００３７】
略鉛直に延びる導出管26を中心支軸として有底円筒状をした上部蓋部材28が形成されている。
有底円筒状をした上部蓋部材28は、底壁28ａを上側にして円筒部28ｂの開口を下側に向けており、導出管26が円筒部28ｂの中心軸に同軸に上方に延びて上部蓋部材28の底壁28ａを貫通して導出接続管27が突設される上端部を底壁28ａより上方に突出して一体に形成されている。
【００３８】
この上部蓋部材28の円筒部28ｂの底壁28ａ寄りの外周にフランジ状に環状取付座29が突出して形成されている。
上部蓋部材28の円筒部28ｂは、同軸のポンプケース15より外径が幾らか大きく、平面視でポンプケース15は上部蓋部材28に包含される（図３，図４参照）。
【００３９】
図１に示すように、本燃料供給装置10は、燃料タンク２の上壁２ａに形成された円孔に上部蓋部材28の円筒部28ｂが上方から嵌入して環状取付座29が上壁２ａの円孔の開口縁部に当接して固着されることで、燃料タンク２の上壁２ａの円孔が閉塞されて、燃料タンク２内に第１燃料ポンプ11と第２燃料ポンプ12を含む殆どが垂設され、燃料タンク２の外部には環状取付座29とそれより上の導出接続管27だけが露出する。
そして、燃料供給装置10の最下端の下側の第２燃料フィルタは、燃料タンク２の底壁２ｂに近接している。
【００４０】
本燃料供給装置10は、第１燃料ポンプ11と第２燃料ポンプ12を駆動すると、燃料タンク２内の燃料を底の方からそれぞれ第１燃料フィルタ21と第２燃料フィルタ22を介してろ過して、第１吸入管11ｉと第２吸入管12ｉを通して吸入し、上方の第１吐出管11ｅと第２吐出管12ｅにそれぞれ吐出する。
そして、第１吐出管11ｅと第２吐出管12ｅに吐出された燃料は、ジョイント管25内で合流し、中央の導出管26に導かれて上昇し、導出管26の上端に突出され外部に露出した導出接続管27から燃料パイプに導出して内燃機関の吸気系に供給される。
【００４１】
第１燃料ポンプ11と第２燃料ポンプ12から吐出されジョイント管25内で合流した燃料の燃圧が所定以上になると、プレッシャレギュレータ30が燃料の一部を前方に噴出して燃料タンク２内に戻し、調圧制御する。
【００４２】
本燃料供給装置10には、燃料タンク２内の燃料量を液面の高さで検出する液面計ユニット40が取り付けられている。
ジョイント管25の左側面から矩形枠状に膨出してブラケット25ｂが形成されており、同ブラケット25ｂの前後に長尺矩形の左側面に液面計ユニット40の液面計本体41が取り付けられる。
【００４３】
液面計本体41は、前後に長尺の直方体形状をなしており、第１燃料ポンプ11と第２燃料ポンプ12の配列方向である前後方向が長尺方向になるようにブラケット25ｂに取り付けられる。
この液面計本体41の左側面に突出した揺動中心軸42ｃを基端とした支持アーム42が径方向に屈曲し、さらに斜め左方に屈曲して延び、先端にフロート43が取り付けられている。
【００４４】
支持アーム42の先端のフロート43は、常に液面計本体41より後方にあって、燃料タンク２内を上下に揺動し、燃料タンク２内の燃料の液面に浮くことにより支持アーム42が示す揺動角度を液面計本体41において計測することで液面の高さを検出する。
液面計本体41の前端の接続端子部44ａからハーネス44が延出している。
【００４５】
以上のように、本燃料供給装置10は、ジョイント管25の側壁に形成されたブラケット25ｂに、液面計ユニット40の液面計本体41が、第１燃料ポンプ11と第２燃料ポンプ12の配列方向の大きくなった幅を液面計本体41の長尺方向として、図４に示すように、第１燃料ポンプ11と第２燃料ポンプ12の配列方向の最大幅Ｗ内に配設して取り付けられるので、液面計本体41が第１燃料ポンプ11と第２燃料ポンプ12の近傍から大きく突出するのを抑えて燃料供給装置10の大型化を回避することができる。
【００４６】
また、第１燃料ポンプ11と第２燃料ポンプ12の上方のジョイント管25の側方のスペースに液面計本体41を配設して、液面計本体41の上方への突出を防止して燃料供給装置の大型化を回避することができる。
【００４７】
プレッシャレギュレータ30が結合されるジョイント管25の端部が、液面計本体41から接続端子部44ａを介して延出するハーネス44の突出方向と同方向（前方）にあるので、プレッシャレギュレータ30およびハーネス44の組付けが同一方向から行え、組立性が良い。
【００４８】
液面計ユニット40の先端にフロート43を取り付けた支持アーム42は、揺動中心軸42ｃからプレッシャレギュレータ30の先端出口がある前側と反対側の後側に延出しているので、プレッシャレギュレータ30の先端出口から噴出される燃料の戻りが後側に延びる支持アーム42に影響することがなく、所要の検出精度を維持することができる。
【００４９】
液面計本体41がジョイント管25の側壁にブラケット25ｂを介して一体に取り付けられるので、より強固に液面計本体41を取り付け、確固として液面計本体を保持することができる。
【００５０】
次に、第２の実施の形態について、図７ないし図１１に基づいて説明する。
本第２の実施の形態に係る燃料供給装置60は、自動二輪車の後部でシート下方の左右一対のシートレール51，51間に架設される燃料タンク52内に配設されるものであり、この燃料タンク52の略水平な底壁52ｂに形成された円孔に下端部を嵌着して、燃料タンク52内に立設される。
【００５１】
図８に示すように、燃料供給装置60は、２個の円柱状をした既存の安価な第１燃料ポンプ61と第２燃料ポンプ62を後側と前側に隣接して配列し互いに上下方向にオフセットしたものが、円筒状をしたポンプケース65に収容され、ポンプケース65の下端開口を塞いだ底壁66により支持されている。
【００５２】
第１燃料ポンプ61と第２燃料ポンプ62からは、下方にそれぞれ第１吸入管61ｉと第２吸入管62ｉが延出して底壁66を貫通しており、底壁66を貫通した第１吸入管61ｉと第２吸入管62ｉの下端は、底壁66の下方に上下に互いに部分的に重なって設けられた扁平袋状をした第１燃料フィルタ71と第２燃料フィルタ72にそれぞれ嵌入し内部フレームに結合される。
【００５３】
上側の第１燃料フィルタ71は、図１０に示すように、下面視で円形の斜め左前と右の一部が大きく欠損した形状をしており、第１燃料ポンプ61から下方に延出する第１吸入管61ｉが第１燃料フィルタ71の上側部に嵌入し内部フレームに結合されており、第２燃料ポンプ62から下方に延出する第２吸入管62ｉは、第１燃料フィルタ71の斜め左前の欠損部71ｃを貫通している。
また、上方から下方に延びている後記する導出管76が、欠損部71ｃを貫通する。
【００５４】
下側の第２燃料フィルタ72は、図１１に示すように、下面視で円形の左側部分がＵ字状に切り欠かれた欠損部72ｃと右の一部が欠損した形状をしており、前記第１燃料フィルタ21の欠損部21ｃを貫通した第２吸入管12ｉが第２燃料フィルタ22の上側部に嵌入し内部フレームに結合されている。
そして、前記導出管76が、欠損部72ｃを貫通する。
【００５５】
一方、第１燃料ポンプ61と第２燃料ポンプ62からは、上方にそれぞれ第１吐出管61ｅと第２吐出管62ｅが延出し、その上方に前後方向に指向して配設されたジョイント管75に第１吐出管61ｅと第２吐出管62ｅの各上端が嵌入している。
ジョイント管75の前端の開口には、プレッシャレギュレータ80が基端を嵌入して装着されている。
【００５６】
ジョイント管75の略中央の左寄り位置から下方に分岐した導出管76が下方に長尺に延びており、この導出管76が前記第１燃料フィルタ71の欠損部71ｃおよび第２燃料フィルタ72の欠損部72ｃを貫通して下端に達しており、同下端部から左方に導出接続管77が突設されている。
この導出接続管77に燃料パイプ（図示せず）が接続され、燃料パイプに導かれて内燃機関の吸気系に燃料が供給される。
【００５７】
第１燃料ポンプ61と第２燃料ポンプ62の下方の第１燃料フィルタ71と第２燃料フィルタ72を下方から有底円筒状をした下部蓋部材78が被せられ、底壁78ａの中央部分が導出管76の下部に一体に結合され、底壁78ａより下方に突出した下端部には前記導出接続管77が突設されている。
下部蓋部材78の円筒部78ｂの外周にはフランジ状に環状取付座79が突出して形成されている。
【００５８】
下部蓋部材78の円筒部78ｂは、内径が同軸のポンプケース65の外径より大きく、ポンプケース65の下端部に下部蓋部材78の円筒部78ｂの上端が上下方向で重なり、両者間に環状の空隙68が形成され、同空隙68から下部蓋部材78内に燃料が入るようになっている。
【００５９】
図７に示すように、本燃料供給装置60は、燃料タンク52の底壁52ｂに形成された円孔に下部蓋部材78の円筒部78ｂの環状取付座79より上の部分が下方から嵌入して環状取付座79が底壁52ｂの円孔の開口縁部に当接して固着されることで、燃料タンク52の底壁52ｂの円孔が閉塞されて、燃料タンク52内に第１燃料ポンプ61と第２燃料ポンプ62を含む殆どが立設され、燃料タンク52の外部には環状取付座79とそれより下の導出接続管77だけが露出する。
【００６０】
本燃料供給装置60は、第１燃料ポンプ61と第２燃料ポンプ62を駆動すると、燃料タンク52内の燃料を底部の下部蓋部材78の底からそれぞれ第１燃料フィルタ71と第２燃料フィルタ72を介してろ過して、第１吸入管61ｉと第２吸入管62ｉを通して吸入し、上方の第１吐出管61ｅと第２吐出管62ｅにそれぞれ吐出する。
そして、第１吐出管61ｅと第２吐出管62ｅに吐出された燃料は、ジョイント管75内で合流し、中央の導出管76に導かれて下降し、導出管76の下端に突出され外部に露出した導出接続管77から燃料パイプに導出して内燃機関の吸気系に供給される。
【００６１】
第１燃料ポンプ61と第２燃料ポンプ62から吐出されジョイント管75内で合流した燃料の燃圧が所定以上になると、プレッシャレギュレータ80が燃料の一部を前方に噴出して燃料タンク52内に戻し、調圧制御する。
【００６２】
本燃料供給装置60には、燃料タンク52内の燃料量を液面の高さで検出する液面計ユニット90が取り付けられている。
ジョイント管75の左側面から矩形枠状に膨出してブラケット75ｂが形成されており、同ブラケット75ｂの前後に長尺矩形の左側面に液面計ユニット90の液面計本体91が取り付けられる。
【００６３】
液面計本体91は、前後に長尺の直方体形状をなしており、第１燃料ポンプ61と第２燃料ポンプ62の配列方向である前後方向が長尺方向になるようにブラケット75ｂに取り付けられる。
この液面計本体91の左側面に突出した揺動中心軸92ｃを基端とした支持アーム92が径方向に屈曲し、さらに斜め左方に屈曲して延び、先端にフロート93が取り付けられている。
【００６４】
支持アーム92の先端のフロート93は、常に液面計本体91より後方にあって、燃料タンク52内を上下に揺動し、燃料タンク52内の燃料の液面に浮くことにより支持アーム92が示す揺動角度を液面計本体91において計測することで液面の高さを検出する。
液面計本体91の前端の接続端子部94ａからハーネス94が延出している。
【００６５】
燃料供給装置60は、ジョイント管75の側壁に形成されたブラケット75ｂに、液面計ユニット90の液面計本体91が、第１燃料ポンプ61と第２燃料ポンプ62の配列方向の大きくなった幅を液面計本体91の長尺方向として、図９に示すように、第１燃料ポンプ61と第２燃料ポンプ62の配列方向の最大幅Ｗ内に配設して取り付けられるので、液面計本体91が第１燃料ポンプ61と第２燃料ポンプ62の近傍から大きく突出するのを抑えて燃料供給装置60の大型化を回避することができる。
【００６６】
また、第１燃料ポンプ61と第２燃料ポンプ62の上方のジョイント管75の側方のスペースに液面計本体91を配設して、液面計本体91の上方への突出を防止して燃料供給装置の大型化を回避することができる。
【００６７】
プレッシャレギュレータ80が結合されるジョイント管75の端部が、液面計本体91から接続端子部94ａを介して延出するハーネス94の突出方向と同方向（前方）にあるので、プレッシャレギュレータ80およびハーネス94の組付けが同一方向から行え、組立性が良い。
【００６８】
液面計ユニット90の先端にフロート43を取り付けた支持アーム92は、揺動中心軸92ｃからプレッシャレギュレータ80の先端出口がある前側と反対側の後側に延出しているので、プレッシャレギュレータ80の先端出口から噴出される燃料の戻りが後側に延びる支持アーム92に影響することがなく、所要の検出精度を維持することができる。
液面計本体91がジョイント管25の側壁にブラケット75ｂを介して一体に取り付けられるので、より強固に液面計本体91を取り付け、確固として保持することができる。
【符号の説明】
【００６９】
10…燃料供給装置、11…第１燃料ポンプ、12…第２燃料ポンプ、21…第１燃料フィルタ、22…第２燃料フィルタ、25…ジョイント管、28…上部蓋部材、29…環状取付座、30…プレッシャレギュレータ、40…液面計ユニット、41…液面計本体、42…支持アーム、43…フロート、44…ハーネス、
60…燃料供給装置、61…第１燃料ポンプ、62…第２燃料ポンプ、71…第１燃料フィルタ、72…第２燃料フィルタ、75…ジョイント管、78…下部蓋部材、79…環状取付座、80…プレッシャレギュレータ、90…液面計ユニット、91…液面計本体、92…支持アーム、93…フロート、94…ハーネス。
【図１】
2010228697.tif 000003
【図２】
2010228697.tif 000004
【図３】
2010228697.tif 000005
【図４】
2010228697.tif 000006
【図５】
2010228697.tif 000007
【図６】
2010228697.tif 000008
【図７】
2010228697.tif 000009
【図８】
2010228697.tif 000010
【図９】
2010228697.tif 000011
【図１０】
2010228697.tif 000012
【図１１】
2010228697.tif 000013